(57)【特許請求の範囲】
【請求項１】
電話端末間の呼接続を行う電話交換システムにおいて、
発電話番号毎に、仮電話番号と該仮電話番号に紐付く着電話番号との対応を保持する仮電話番号保持手段と、
発電話番号と着電話番号と通知先の情報を含み、該着電話番号に対応する仮電話番号を要求する仮電話番号要求信号を受信すると、前記仮電話番号保持手段を参照して、該発電話番号に割当可能な末使用の仮電話番号を割り当て、該発電話番号と該仮電話番号と該着電話番号との対応を前記仮電話番号保持手段に保持し、該仮電話番号要求信号により指定される通知先に、該仮電話番号を通知する仮電話番号割当手段と、
発電話番号と着電話番号の情報を含む呼接続要求を受信すると、該着電話番号が仮電話番号かどうか判断し、仮電話番号である場合には、前記仮電話番号保持手段から、該発電話番号及び該仮電話番号に紐付く着電話番号を読み出し、該発電話番号と、読み出した該着電話番号のそれぞれに対応する電話端末間の呼接続を行う電話交換手段と、
を備えることを特徴とする電話交換システム。
【請求項２】
電話番号と、電話番号とは異なる論理番号との対応を保持する論理番号保持手段と、
発電話番号の代わりに論理番号の情報を含む前記仮電話番号要求信号を受信すると、前記論理番号保持手段から、該論理番号に対応する発電話番号を取得する論理番号変換手段とを備え、
前記仮電話番号割当手段は、該仮電話番号保持手段を参照して、前記論理番号変換手段が取得した発電話番号に割当可能な末使用の仮電話番号を割り当て、該発電話番号と該仮電話番号と該着電話番号との対応を前記仮電話番号保持手段に保持し、該仮電話番号要求信号により指定される通知先に、該仮電話番号を通知することを特徴とする請求項１に記載の電話交換システム。
【請求項３】
前記仮電話番号の有効期限を超過すると、該仮電話番号を削除する手段を備えることを特徴とする請求項１に記載の電話交換システム。
【請求項４】
前記仮電話番号を探索した回数が一定回数を超過すると、該仮電話番号を削除する手段を備えることを特徴とする請求項１に記載の電話交換システム。
【請求項５】
前記仮電話番号割当手段は、仮電話番号の使用条件をさらに含む前記仮電話番号要求信号を受信し、前記仮電話番号保持手段に該仮電話番号と該仮電話番号の使用条件との対応を保持し、該仮電話番号要求信号により指定される通知先に、該仮電話番号を通知し、
前記電話交換手段は、発電話番号と、仮電話番号が設定された着電話番号の情報を含む呼接続要求を受信すると、該仮電話番号保持手段から得た該仮電話番号の使用条件を参照し、呼接続実施の可否を判断する、
ことを特徴とする請求項１に記載の電話交換システム。
【請求項６】
前記仮電話番号割当手段は、前記仮電話番号要求信号により指定される通知先に、さらに前記使用条件を通知することを特徴とする請求項５に記載の電話交換システム。
【請求項７】
電話端末間の呼接続を行う電話交換方法において、
発電話番号毎に、仮電話番号と該仮電話番号に紐付く着電話番号との対応を保持する仮電話番号保持手段を設けておき、
仮電話番号割当手段が、発電話番号と着電話番号と通知先の情報を含み、該着電話番号に対応する仮電話番号を要求する仮電話番号要求信号を受信すると、前記仮電話番号保持手段を参照して、該発電話番号に割当可能な末使用の仮電話番号を割り当て、該発電話番号と該仮電話番号と該着電話番号との対応を前記仮電話番号保持手段に保持し、該仮電話番号要求信号により指定される通知先に、該仮電話番号を通知し、
電話交換手段が、発電話番号と着電話番号の情報を含む呼接続要求を受信すると、該着電話番号が仮電話番号かどうか判断し、仮電話番号である場合には、前記仮電話番号保持手段から、該発電話番号及び該仮電話番号に紐付く着電話番号を読み出し、該発電話番号と、読み出した該着電話番号のそれぞれに対応する電話端末間の呼接続を行う、
ことを特徴とする電話交換方法。
【発明の詳細な説明】
【技術分野】
【０００１】
本発明は、電話番号を秘匿するサービスを実現するための電話交換システム及び方法に関する。
【背景技術】
【０００２】
電話番号を一般には公開せず、使用者を近親者または日常生活上必要な最低限の範囲に制限し、不特定の相手からの着信を防止したい場合、従来は、電話番号を教える相手を制限し、また、電話番号を個人情報として相手先とその守秘について取り決めを行うなど、人手により対策を行っていた。さらに、万が一電話番号が第三者に流出し、受けたくない相手からの着信が発生すると、特定電話番号からの着信拒否サービスの利用など、人手による煩雑な手続きをする必要があった。着信拒否サービスの概要は、以下の非特許文献１などに見ることができる。
【非特許文献１】西日本電信電話株式会社、”迷惑電話おことわりサービス”［online］,［平成２０年２月１８日］、インターネット<URL:http://www.ntt-west.co.jp/flets/hikaridenwa/service/okotowari/index.html>
【発明の開示】
【発明が解決しようとする課題】
【０００３】
従来の着信拒否サービスでは、迷惑電話を受信後に同一電話番号からの着信を防止することができるが、初回については受話器を上げる必要がある。また、発信者が別の電話番号を持つ電話から発信した場合に、防止することができない課題がある。また、電話番号を教えた相手に、個人情報としての管理を依頼する必要があり、相手にとっては管理が負担になる課題がある。
【０００４】
上述の課題を鑑み、本発明は、不特定の相手方からの迷惑電話の着信を防止し、また、個人情報の流出を防止することができるようにした電話交換システム及び方法を提供することを目的とする。
【課題を解決するための手段】
【０００５】
本発明は、電話端末間の呼接続を行う電話交換システムにおいて、発電話番号毎に、仮電話番号と該仮電話番号に紐付く着電話番号との対応を保持する仮電話番号保持手段と、発電話番号と着電話番号と通知先の情報を含み、該着電話番号に対応する仮電話番号を要求する仮電話番号要求信号を受信すると、前記仮電話番号保持手段を参照して、該発電話番号に割当可能な末使用の仮電話番号を割り当て、該発電話番号と該仮電話番号と該着電話番号との対応を仮電話番号保持手段に保持し、該仮電話番号要求信号により指定される通知先に、該仮電話番号を通知する仮電話番号割当手段と、発電話番号と着電話番号の情報を含む呼接続要求を受信すると、該着電話番号が仮電話番号かどうか判断し、仮電話番号である場合には、仮電話番号保持手段から、該仮電話番号に紐付く着電話番号を読み出し、該発電話番号と、読み出した該着電話番号のそれぞれに対応する電話端末間の呼接続を行う電話交換手段とを備えることを特徴とする電話交換システムである。
【０００６】
上記発明において、電話番号と、電話番号とは異なる論理番号との対応を保持する論理番号保持手段と、発電話番号の代わりに論理番号の情報を含む前記仮電話番号要求信号を受信すると、論理番号保持手段から、該論理番号に対応する発電話番号を取得する論理番号変換手段とを備え、仮電話番号割当手段は、該仮電話番号保持手段を参照して、論理番号変換手段が取得した発電話番号に割当可能な末使用の仮電話番号を割り当て、該発電話番号と該仮電話番号と該着電話番号との対応を前記仮電話番号保持手段に保持し、該仮電話番号要求信号により指定される通知先に、該仮電話番号を通知することを特徴とする。
【０００７】
上記発明において、前記仮電話番号の有効期限を超過すると、該仮電話番号を削除する手段を備えることを特徴とする。
【０００８】
上記発明において、前記仮電話番号を探索した回数が一定回数を超過すると、該仮電話番号を削除する手段を備えることを特徴とする。
【０００９】
上記発明において、前記仮電話番号割当手段は、仮電話番号の使用条件をさらに含む前記仮電話番号要求信号を受信し、前記仮電話番号保持手段に該仮電話番号と該仮電話番号の使用条件との対応を保持し、該仮電話番号要求信号により指定される通知先に、該仮電話番号を通知し、前記電話交換手段は、発電話番号と、仮電話番号が設定された着電話番号の情報を含む呼接続要求を受信すると、該仮電話番号保持手段から得た該仮電話番号使用条件を参照し、呼接続実施の可否を判断することを特徴とする。
【００１０】
上記発明において、前記仮電話番号割当手段は、前記仮電話番号要求信号により指定される通知先に、さらに前記使用条件を通知することを特徴とする。
【００１１】
本発明は、電話端末間の呼接続を行う電話交換方法において、発電話番号毎に、仮電話番号と該仮電話番号に紐付く着電話番号との対応を保持する仮電話番号保持手段を設けておき、仮電話番号割当手段が、発電話番号と着電話番号と通知先の情報を含み、該着電話番号に対応する仮電話番号を要求する仮電話番号要求信号を受信すると、前記仮電話番号保持手段を参照して、該発電話番号に割当可能な末使用の仮電話番号を割り当て、該発電話番号と該仮電話番号と該着電話番号との対応を前記仮電話番号保持手段に保持し、該仮電話番号要求信号により指定される通知先に、該仮電話番号を通知し、電話交換手段が、発電話番号と着電話番号の情報を含む呼接続要求を受信すると、該着電話番号が仮電話番号かどうか判断し、仮電話番号である場合には、前記仮電話番号保持手段から、該発電話番号及び該仮電話番号に紐付く着電話番号を読み出し、該発電話番号と、読み出した該着電話番号のそれぞれに対応する電話端末間の呼接続を行う、ことを特徴とする電話交換方法である。
【発明の効果】
【００１２】
本発明によれば、加入者が通常使用している電話番号と異なる、使用制限付きの仮電話番号を該加入者に連絡したい別の加入者に通知し、通常使用している電話番号は秘匿することができる。使用制限付きの仮電話番号を発信者毎に割り当てるため、万が一該仮電話番号が第三者に流出したとしても、該第三者が該仮電話番号を使用することはできない。また、仮電話番号の使用目的により、有効期間などの使用条件で制限が可能で、目的外の使用をある程度防ぐことができる。
【００１３】
本発明によれば、発電話番号を一時的にコールバック可能な番号に変換して相手端末に転送することにより、発電話番号を相手端末に知られずに、相手端末からのコールバックが可能となる。
【発明を実施するための最良の形態】
【００１４】
以下、本発明の実施の形態について図面を参照しながら説明する。図１は、本発明の実施形態を示すものである。
【００１５】
図１において、１ａは電話加入者Ａの電話端末、１ｂはサービス業者Ｂの電話端末、２は電話交換部、３は仮電話番号データベース、４は仮電話番号割当部、５ａは電話加入者ＡのＷｅｂクライアント、５ｂはサービス業者ＢのＷｅｂ（ウェブ）サーバ、６はサービス持続タイマ、７はサービス利用カウンタである。
【００１６】
電話端末１ａと、Ｗｅｂクライアント５ａは、電話加入者Ａが操作する。電話端末１ｂと、Ｗｅｂサーバ５ｂは、サービス業者Ｂが操作する。なお、Ｗｅｂクライアント５ａは例えばパーソナルコンピュータや携帯電話端末などのコンピュータ装置である。
【００１７】
電話交換部２は、各電話端末（図では電話端末１ａ及び電話端末１ｂ）及び仮電話番号データベース３と接続する。電話交換装置は、例えば固定電話や携帯電話の電話交換機やサービス制御ポイント（ＳＣＰ）、ＩＰ電話の呼制御装置等により実現することができる。
【００１８】
また、本発明の実施形態では、電話交換部２は、発電話番号と着電話番号の情報を含む呼接続要求を受信すると、着電話番号が仮電話番号かどうか判断し、仮電話番号である場合には、仮電話番号データベース３から、発電話番号及び仮電話番号に紐付く着電話番号を読み出し、発電話番号と、読み出した着電話番号のそれぞれに対応する電話端末間の呼接続を行う。
【００１９】
仮電話番号データベース３は、例えばデータベースサーバで構成することができ、電話交換部２と、仮電話番号割当部４と接続する。仮電話番号データベース３は、図２に示すように、仮電話番号と、それに対応する着電話番号及び使用条件を発電話番号毎に保持するデータベースの構成とされている。使用条件は、例えば、「利用回数」は「１回だけ」、「利用期間」は「２００９年１月１日まで」、「発信可能時間帯」は「昼間のみ」などが上げられるが、それ以外の条件でもよい。
【００２０】
仮電話番号割当部４は、例えば、サーバ等のコンピュータ装置で実現することができ、Ｗｅｂクライアント（図１ではＷｅｂクライアント５ａ）、及びＷｅｂサーバ（図１ではＷｅｂサーバ５ｂ）と接続する。
【００２１】
仮電話番号割当部４は、発電話番号と着電話番号と仮電話番号の通知先の情報を含み、着電話番号に対応する仮電話番号を要求する仮電話番号要求信号を受信すると、仮電話番号データベース３を参照して、発電話番号に割当可能な末使用の仮電話番号を割り当て、発電話番号と仮電話番号と着電話番号との対応を仮電話番号データベース３に保持し、仮電話番号要求信号により指定される通知先に、仮電話番号を通知する。
【００２２】
サービス持続タイマ６は、仮電話番号割当部４と電話交換部２に接続されており、仮電話番号毎のサービスの持続時間をカウントしている。サービス利用カウンタ７は、仮電話番号割当部４と電話交換部２に接続されており、仮電話番号毎のサービスの利用回数をカウントしている。
【００２３】
なお、仮電話番号割当部４、仮電話番号データベース３、及び電話交換部２のうち任意の２以上を同一の装置により実現しても良い。
【００２４】
サービス業者Ｂとしては、例えば商品の販売店が想定され、電話加入者Ａは商品の購入者が想定される。サービス業者Ｂは、商品を購入する電話加入者Ａの電話番号を連絡用として知る必要がある。しかしながら、電話加入者Ａがサービス業者Ｂに電話番号を教えてしまうと、電話番号が流出し、迷惑電話がかけられてしまう可能性がある。
【００２５】
本発明の実施形態は、電話加入者Ａが通常使用している電話番号と異なる、使用制限付きの仮電話番号をサービス業者Ｂに通知し、通常使用している電話番号は秘匿することで、不特定の相手方からの迷惑電話の着信を防止し、また、個人情報の流出を防止している。
【００２６】
以下では、サービス業者Ｂが利用可能な電話端末１ａの仮電話番号を、仮電話番号割当部４からＷｅｂサーバ５ｂに払い出し、その後その仮電話番号を用いてサービス業者Ｂが電話加入者Ａに電話するまでの動作例を説明する。
【００２７】
電話加入者Ａは、Ｗｅｂクライアント５ａを用いて、Ｗｅｂサーバ５ｂにアクセスすると、Ｗｅｂサーバ５ｂは、仮電話番号の登録先を示すＵＲＬと、サービス業者Ｂの電話端末１ｂの電話番号と、トランザクションの識別子をＷｅｂクライアント５ａに通知し、電話加入者Ａへ連絡可能な仮電話番号を要求する。
【００２８】
Ｗｅｂクライアント５ａは、Ｗｅｂサーバ５ｂから仮電話番号要求を受信すると、仮電話番号割当部４に接続し、該ＵＲＬ、該トランザクション識別子、仮電話番号を割り当てたい電話番号（着電話番号）、その使用条件、及び該仮電話番号を用いた発信を許可したいサービス業者Ｂの電話番号（発電話番号）を仮電話番号割当部４に通知し、仮電話番号の払い出しを要求する。
【００２９】
仮電話番号割当部４は、以下、図３のフローチャートに示す処理を行う。すなわち、図３において、仮電話番号割当部４は、Ｗｅｂクライアント５ａから仮電話番号の払い出し要求（仮電話番号要求信号）を受信すると、仮電話番号データベース３から、該要求中の発電話番号に紐付く仮電話番号を読みだし（ステップＳ１）、末使用の仮電話番号を割り当てる。仮電話番号割当部４は、該要求中の発電話番号と、割り当てた仮電話番号、該要求中の着電話番号及び使用条件とを対応付けて、仮電話番号データベース３に登録すると（ステップＳ２）、該要求中のＵＲＬを用いてＷｅｂサーバ５ｂへアクセスし、該仮電話番号と、該要求中のトランザクション識別子と、該使用条件とを通知する（ステップＳ３）。また、仮電話番号に対応させてサービス持続タイマ６を起動する。
【００３０】
Ｗｅｂサーバ５ｂは、仮電話番号割当部４から受信した通知中のトランザクション識別子により、該通知中の仮電話番号が電話端末１ａの電話加入者Ａへの連絡先であることを識別し、内部に記憶する。
【００３１】
このようにして、サービス業者Ｂは、電話加入者Ａの電話端末１ａの仮電話番号を、取得する。そして、その後、その仮電話番号を用いてサービス業者Ｂが電話加入者Ａに電話する。
【００３２】
電話交換部２は、サービス業者Ｂの電話端末１ｂからの発信に対して、以下、図４のフローチャートに示す処理を行う。すなわち、図４において、電話交換部２は、発電話番号と着電話番号が設定された呼接続要求を受信すると、該着電話番号が仮電話番号かどうか分析する（ステップＳ１１）。例えば、特番のプレフィクスなどでその他の電話番号と識別可能とする。該着電話番号が仮電話番号でない場合には（ステップＳ１１：ＮＯ）、電話交換部２は、通常の呼設定を実施する（ステップＳ１２）。
【００３３】
該着電話番号が仮電話番号である場合には（ステップＳ１１：ＹＥＳ）、電話交換部２は、仮電話番号データベース３から、該発電話番号と該仮電話番号に紐付く着電話番号と使用条件を読み出して（ステップＳ１３）、該使用条件を分析する（ステップＳ１４）。例えば、サービス利用カウンタ７で示される「利用回数」が「利用可能回数」以内であるか、現在の日時が「利用期間」又は「利用可能時間帯」であるかなどの条件を満たすか分析する。分析の結果、使用条件を満たせば（ステップＳ１４：ＹＥＳ）、該着電話番号の該仮電話番号に対応するサービス利用カウンタ７をインクリメントし（ステップＳ１５）、サービス利用カウンタ７で示される「利用回数」があらかじめ設定した閾値以上であるかどうかを判断する（ステップＳ１６）。サービス利用カウンタ７で示される「利用回数」があらかじめ設定した閾値以上である場合（ステップＳ１６：ＹＥＳ）、仮電話番号データベース３の該発電話番号に紐付く該仮電話番号を削除する（ステップＳ１７）。サービス利用カウンタ７があらかじめ設定した閾値以上ではない場合（ステップＳ１６：ＮＯ）、呼接続要求中の着信電話番号に設定されている仮電話番号を、該発電話番号及び該仮電話番号に対応して仮電話番号データベース３から読み出した着信電話番号とさしかえて呼接続を行う。これにより、呼接続要求中の発電話番号（電話端末１ｂの電話番号）と、この仮電話番号に紐付く着電話番号（電話端末１ａの電話番号）に対応する電話端末１ｂ−電話端末１ａ間に呼を設定する（ステップＳ１８）。
【００３４】
なお、各発電話番号の各仮電話番号に対応するサービス持続タイマ６が満了した場合、仮電話番号データベース３に設定されている、該発電話番号に紐付く該仮電話番号を削除する。
【００３５】
また、上述の実施形態では、仮電話番号の有効な期間を、時間と使用回数で制限する例を示しているが、時間、または使用回数のみで制限してもよい。あるいは制限しなくてもよい。
【００３６】
また、Ｗｅｂサーバ５ｂは、Ｗｅｂクライアント５ａに、サービス業者Ｂの電話端末の電話番号を通知しているが、代わりに仮電話番号割当部４において、サービス業者Ｂの電話端末の電話番号との対応を取ることが出来る別の番号(論理番号)を通知してもよい。
【００３７】
すなわち、図５に示すように、電話番号と、電話番号とは異なり、電話番号に１：１または１：複数で対応する論理番号との対応を保持する論理番号データベース８を設けておく。また、発電話番号の代わりに論理番号の情報を含む仮電話番号要求信号を受信すると、論理番号データベース８から、該論理番号に対応する発電話番号を取得する論理番号変換部９を設けておく。
【００３８】
これにより、Ｗｅｂサーバ５ｂは、サービス業者Ｂの電話端末１ｂの電話番号の代わりに、電話端末１ｂの論理番号をＷｅｂクライアント５ａに通知し、電話加入者Ａへ連絡可能な仮電話番号を要求する。Ｗｅｂクライアント５ａは、仮電話番号割当部４に接続して、サービス業者Ｂの電話端末１ｂの電話番号の代わりに電話端末１ｂの論理番号を通知し、仮電話番号の払い出しを要求する。
仮電話番号割当部４が、Ｗｅｂクライアント５ａから仮電話番号の払い出し要求を受信すると、論理番号変換部９は、論理番号データベース８から、受信した論理番号に対応する電話番号を取得する。以降は、この取得した電話番号を発電話番号として用い、上述した図３と同様に動作する。すなわち、仮電話番号割当部４は、論理番号変換部９が取得した発電話番号に割当可能な末使用の仮電話番号を割り当て、発電話番号と、割り当てた仮電話番号と、着電話番号及び使用条件とを対応付けて、仮電話番号データベース３に登録し、払い出し要求中のＵＲＬを用いてＷｅｂサーバ５ｂへアクセスして、該仮電話番号と該要求中のトランザクション識別子と使用条件を通知する。
【００３９】
また、電話交換手段は、発電話番号と、着電話番号のそれぞれに対応する電話端末間の呼接続時に、発端末と着端末に、トーキーにより仮電話番号による接続である旨とその使用条件を通知してもよい。
【００４０】
以上説明したように、本発明の実施形態では、使用制限付きの仮電話番号を発信者毎に割り当てるため、万が一該仮電話番号が第三者に流出したとしても、該第三者が該仮電話番号を使用することは出来ない。
また、仮電話番号の使用目的により、有効期間などの使用条件で制限が可能で、目的外の使用をある程度防ぐことが出来る。例を以下に示す。
【００４１】
（１）銀行口座の開設時など長期契約での連絡先として使用する場合は、有効期間と使用回数を無制限、時間帯は日中、などとする。
（２）商品を購入し配達時の連絡先として使用する場合は、有効期間は配達予定目まで、使用回数は無制限などとする。
（３）電機製品を購入し設計上の不具合などが分かった場合の連絡先として使用する場合は、有効期間は無制限、使用回数は２回などとする。
【００４２】
また、仮電話番号の払い出し時の発側電話端末の識別に論理番号を用いることで、発側の電話番号の秘匿も可能である。
【００４３】
また、仮電話番号の使用者から見ると、通常の電話番号に比べて守秘の管理か簡易でよく、また万が一流失した場合のダメージが少ない効果がある。電話会社としては付加サービスとして提供が可能である。
【００４４】
本発明は、上述した実施形態に限定されるものではなく、この発明の要旨を逸脱しない範囲内で様々な変形や応用が可能である。
【００４５】
なお、上述の電話交換部２、仮電話番号割当部４は、内部にコンピュータシステムを有している。そして、上述した電話交換部２、仮電話番号割当部４の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵや各種メモリ、ＯＳや周辺機器等のハードウェアを含むものである。
【００４６】
また、「コンピュータシステム」は、ＷＷＷシステムを利用している場合であれば、ホームページ提供環境（あるいは表示環境）も含むものとする。
【００４７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【図面の簡単な説明】
【００４８】
【図１】本発明の一実施形態の電話交換システムの構成の説明に用いるブロック図である。
【図２】本発明の一実施形態の電話交換システムにおける仮電話番号データベース内のリストの説明図である。
【図３】本発明の一実施形態の電話交換システムにおける仮電話番号割当部の処理の説明に用いるフローチャートである。
【図４】本発明の一実施形態の電話交換システムにおける電話交換部の処理の説明に用いるフローチャートである。
【図５】本発明の他の実施形態の電話交換システムの構成の説明に用いるブロック図である。
【符号の説明】
【００４９】
１ａ、１ｂ：電話端末
２：電話交換部
３：仮電話番号データベース（仮電話番号保持手段）
４：仮電話番号割当部
５ａ：Ｗｅｂクライアント
５ｂ：Ｗｅｂサーバ
６：サービス持続タイマ
７：サービス利用カウンタ
【図１】
0004865752.tif 000002
【図２】
0004865752.tif 000003
【図３】
0004865752.tif 000004
【図４】
0004865752.tif 000005
【図５】
0004865752.tif 000006